(57)【要約】【課題】種々のネック形状の弦楽器に的確にフィットさせることのできる汎用性の高いカポタストを提供する。【解決手段】指で弦３をネック１の指板２に押えて演奏する弦楽器に用いられるカポタスト１００であって、前記ネック１に装着されるカポ本体１０と、前記指板２に前記弦３を押付ける押付部材２０であり、前記カポ本体１０に、前記弦３に向かって進退可能に組付られた押付部材２０と、前記カポ本体１０に対する前記押付部材２０の進退量を調節する調節具とを備える。【選択図】図１
2010204400.tif 000002
【特許請求の範囲】
【請求項１】
指で弦をネックの指板に押えて演奏する弦楽器に用いられるカポタストであって、
前記ネックに装着されるカポ本体と、
前記指板に前記弦を押付ける押付部材であり、前記カポ本体に、前記弦に向かって進退可能に組付られた押付部材と、
前記カポ本体に対する前記押付部材の進退量を調節する調節具と
を備えることを特徴とするカポタスト。
【請求項２】
前記調節具は、カポ本体に対して前記押付部材を押出す押出しネジによって構成されている
ことを特徴とする請求項１に記載のカポタスト。
【請求項３】
前記押付部材は、１本の弦に対応する押え駒によって構成されており、
前記押出しネジは、一つの前記押え駒に対してネックの幅方向に複数、設けられている
ことを特徴とする請求項２に記載のカポタスト。
【請求項４】
前記弦楽器は、３本以上の弦を有するものであり、
前記カポ本体におけるネックの幅方向の中間部分に固定的に設けられて弦楽器の中間の弦を押付ける固定押付部を備え、
前記押付部材は、前記固定押付部の両側に設けられている
ことを特徴とする請求項１から請求項３までのいずれか一つに記載のカポタスト。
【発明の詳細な説明】
【技術分野】
【０００１】
本発明は、指で弦をネックの指板に押えて演奏する弦楽器に用いられるカポタストに関するものである。
【背景技術】
【０００２】
ギター等の弦楽器は、複数の弦が張られたネックを有しており、ネックの指板に指で弦を押えることで演奏されるものであるが、このような弦楽器を演奏するに際しては、曲のキーを調節したり、コードの指使いを簡単にするためにカポタストを用いることがある。ここで、カポタストは、弦楽器のネックに装着される器具であり、全ての弦を同じフレットにて押え付ける器具である。
【発明の概要】
【発明が解決しようとする課題】
【０００３】
ギターに代表されるネックを有する弦楽器では、ネックの形状が多種多様である。例えば、一般的なクラシックギターのネックは、その指板が幅方向において平坦形状、所謂「フラット形状」となっているのに対して、フォークギターやエレキギター等のネックは、その指板がフラット形状となっているものや、幅方向において中央部分が僅かに膨出するなだらかな湾曲形状、所謂「Ｒ形状」となっているもの等、区々である。
【０００４】
よって、従来のカポタストは、弦を押え付ける部分が指板にフィットするようにストレート状に形成されたフラット形状用のもの、カーブ状に形成されたＲ形状用のものといったように、ネックの形状に応じた専用のものとなっており、汎用性に劣るものであった。
【０００５】
また、指板がＲ形状となっている弦楽器であっても、弦楽器の個々によって指板のＲ形状の湾曲度合いが区々であり、Ｒ形状用のカポタストを用いたとしても、このカポタストがその弦楽器に的確にフィットするとは限らなかった。
【０００６】
本発明は、上記実情を鑑みてなされたものであり、種々のネック形状の弦楽器に的確にフィットさせることのできる汎用性の高いカポタストの提供を課題とする。
【課題を解決するための手段】
【０００７】
上記課題を解決するために本発明の採った主要な手段は、
「指で弦をネックの指板に押えて演奏する弦楽器に用いられるカポタストであって、
前記ネックに装着されるカポ本体と、
前記指板に前記弦を押付ける押付部材であり、前記カポ本体に、前記弦に向かって進退可能に組付られた押付部材と、
前記カポ本体に対する前記押付部材の進退量を調節する調節具と
を備えることを特徴とするカポタスト」
である。
【０００８】
ここで、上記構成のカポタストは、弦楽器の複数の弦のうちの所望の弦に対応するように少なくとも一つの押付部材を具備するものであればよい。また、上記構成のカポタストにおいては、一つの押付部材を一本の弦に対応させてもよく、また、一つの押圧部材を弦楽器の隣り合う複数或いは弦楽器の全ての弦に対応させてもよい。
【０００９】
なお、押圧部材としては、一本の弦または複数の弦に対応するように配置されると共にカポ本体の凹部に進退可能に収容され、調節具によって進退量が調節される駒状のもの、全ての弦に対応するようにカポ本体における弦を押付ける部分の下面に配置されると共に一端または中間部分がカポ本体に固定され、調節具によって他端側または両端側の所望の簿部位の進退量が調節される板状のもの等を例示することができる。
【００１０】
また、調節具としては、押圧部材をカポ本体に対して前進及び後退させる調節ネジ、押付部材を前進させるだけで、後退については、押圧部材が弦に当接することで後退することとする調節ネジ、カポ本体と押圧部材との間に装着される種々の厚さの介在物、所謂「シム」等を例示することができる。
【００１１】
上記構成のカポタストでは、押付部材のカポ本体に対する進退量を調節具によって調節することで、カポタストにおける押付部材を含んで構成された弦の押付部分の形状を、ストレート状にしたり、カーブ状にすることができる。よって、上記構成のカポタストによれば、調節具によって押付部材の進退量を調節することで、一つのカポタストを多種多様なネック形状の弦楽器に的確にフィットさせることができる。
【００１２】
また、押付部材のカポ本体に対する進退量を調節具によって調節することができることから、例えば、弦の押付力が弱すぎるのであれば、押付部材を前進させて、弦を指板にしっかりと押え付けるようにし、弦の押付力が強すぎるのであれば、押付部材を後退させて、弦を指板に的確な力で押え付けるようにすることもできる。
【００１３】
上述した手段において、
「前記調節具は、カポ本体に対して前記押付部材を押出す押出しネジによって構成されている
ことを特徴とするカポタスト」
とするのが好適である。
【００１４】
上記構成のカポタストは、調節具の構成を具体的に限定したものであり、調節具を押出しネジとすることで、押付部材の進退量を的確に調節することができる。
【００１５】
なお、押出しネジは、押圧部材をカポ本体に対して前進及び後退させるものであってもよく、押付部材を前進させるだけで、後退については、押圧部材が弦に当接することで後退することとするものであってもよい。
【００１６】
また、上述した手段において、
「前記押付部材は、１本の弦に対応する押え駒によって構成されており、
前記押出しネジは、一つの前記押え駒に対してネックの幅方向に複数、設けられている
ことを特徴とするカポタスト」
とするのが好適である。
【００１７】
上記構成のカポタストは、押付部材及び調節具の具体的な構成を限定したものであり、押付部材を１本の弦に対応する押え駒とすることで、対応する１本の弦についての押付力を的確に調節することができる。
【００１８】
また、調節具が例えば２本といったように複数の押出しネジであることから、一つの押え駒において各押出しネジによる進退量を異ならせることで、押え駒を幅方向に傾かせることができる。よって、ネックの指板がＲ形状である場合には、このＲ形状に倣って押え駒を傾かせることで、弦をＲ形状の法線方向から押え付けることができ、弦をより良好に押え付けることができる。
【００１９】
また、上述した手段において、
「前記弦楽器は、３本以上の弦を有するものであり、
前記カポ本体におけるネックの幅方向の中間部分に固定的に設けられて弦楽器の中間の弦を押付ける固定押付部を備え、
前記押付部材は、前記固定押付部の両側に設けられている
ことを特徴とするカポタスト」
とするのが好適である。
【００２０】
上記構成のカポタストは、弦楽器の複数の弦のうち、中間部分の弦については、固定押付部によって弦を指板に押し付け、すなわち、カポタストのネックへの装着によって弦を指板に押付ける一方で、両側の弦については、固定押付部を基準として押付部材の進退量を調節して、両側の弦を好適な押付力にて指板に押付けることができるようにしたものである。
【００２１】
よって、全ての弦に個々に対応する複数の押圧部材や調節具を具備するカポタストに比して、中間部分の弦に対応する押付部材が省略されている分だけ、カポタスト全体の構造を簡略化することができ、また、カポタストをフィットさせる際の操作も簡略化することができる。
【発明の効果】
【００２２】
上述した通り、本発明によれば、種々のネック形状の弦楽器に的確にフィットさせることのできる汎用性の高いカポタストを提供することができる。
【図面の簡単な説明】
【００２３】
【図１】本発明に係るカポタストの一例を示す正面図である。
【図２】押付部材及び調節具の一例を示す図１におけるＡ部の拡大縦断面図である。
【図３】図２におけるＢ−Ｂ断面図である。
【図４】押付部材及び調節具の別例を示す図１におけるＡ部の拡大縦断面図である。
【図５】図４におけるＣ−Ｃ断面図である。
【発明を実施するための形態】
【００２４】
本発明に係るカポタストの実施形態としての一例を、以下、図面に従って詳細に説明する。なお、以下では、弦楽器として６本の弦を有するギターに用いるカポタストを例示するが、本発明に係るカポタストは、１２弦ギター、ベースギター、ウクレレ、バンジョー、マンドリン等、他の弦楽器にも用いることができるものである。
【００２５】
図１に示すように、カポタスト１００は、ギターのネック１に装着されてネック１の幅方向に架渡されるカポ本体１０を備えている。ここで、カポ本体１０の一端側には、バネによって開方向に付勢されており、締付けネジ１２によって閉方向に回動する締付部材１１が回動自在に組み付けられている。カポタスト１０をギターのネック１に装着する際には、カポ本体１０と締付部材１１との間隔を広げ、カポ本体１０と締付部材１１との間にネック１が入るようにネック１の一側からカポタスト１００を装着し、締付けネジ１２を締付けることで、ネック１にカポタスト１００を固定する。
【００２６】
カポ本体１０は、進退自在に組み付けられた複数の押付部材２０と、固定的に設けられた固定押付部１５とを具備するものとして構成されている。
【００２７】
ここで、本例では、押付部材２０として、カポ本体１０に設けられた収容部に進退自在に収容された押え駒を採用している。また、本例では、固定押付部１５が、６本の弦３のうち、中間部分の第３弦及び第４弦をネック１の指板２に押付けるものとして、カポ本体１０の中間部分（ネック１の幅方向における中間部分）に設けられている。さらに、本例では、ギターの第１弦、第２弦、第５弦及び第６弦の４本の各弦３が、１本づつ個別の押付部材２０によってネック１の指板２に押付けられるものとしてあり、第１弦用及び第２弦用の二つの押付部材２０が固定押付部１５の一方の側に配置され、第５弦用及び第６弦用の二つの押付部材２０が固定押付部１５の他方の側に配置されている。
【００２８】
また、固定押付部１５及び各押付部材２０は、一般的なギターにおける弦間の最大ピッチＰ１として想定される「９ｍｍ」、最小ピッチＰ２として想定される「７ｍｍ」に対応することができるような幅寸法に形成されている。これにより、ネック１の幅が広いクラシックギターからネック１の幅が細いエレキギターまで、多種多様なギターに用いることができるカポタスト１００となっている。なお、上記の弦間のピッチは、ネック１の先端、すなわち「ギターのナット」でのピッチである。
【００２９】
ところで、押付部材２０は、カポタスト１００のネック１への装着力によって、その下面にて弦３を指板２に押付けるものであるが、カポ本体１０に対して進退可能に組み付けられており、その進退量が調節具２５（詳細は後述する）によって調節可能となっている。よって、図１に示すように、ネック１の指板２がＲ形状となったギターに対しては、固定押付部１５の両側の押付部材２０を、指板２のＲ形状に倣って固定押圧部１５よりも前進させることで、全ての弦３を良好に押え付けることができる。一方、図示は省略するが、ネック１の指板２がフラット形状となったギターに対しては、固定押付部１５の両側の押付部材２０を、指板２のフラット形状に倣って固定押圧部１５と同じ高さとすることで、全ての弦３を良好に押え付けることができる。
【００３０】
次に、押付部材２０及び調節具２５の具体的な例を説明する。
【００３１】
図２及び図３に、押付部材２０及び調節具２５の一例を示す。
【００３２】
押付部材２０は、方形のブロック状に形成されており、カポ本体１０に凹設された収容部１３に進退自在に収容されている。また、押付部材２０には、溝２２が設けられており、下面には、溝２２の下端を塞ぐ緩衝材２１が固着されている。ここで、緩衝材２１は、ある程度の柔軟性を有する皮、ゴム、合成樹脂等から構成されたものであり、押付部材２０によって、弦３を押付ける際に、弦３を傷付けないように保護するものである。なお、固定押付部１５の下面にも、同様な緩衝材２１が固着されている。
【００３３】
押付部材２０の溝２２には、カポ本体１０に打付けられたピン２３の先端が挿入されており、このピン２３によってカポ本体１０からの押付部材２０の脱落が防止されている。
【００３４】
一方、本例では、押付部材２０の進退量を調節する調節具２５として、押出しネジを採用している。具体的には、カポ本体１０における押付部材２０の上方に対応する部位にナット２４が埋設されており、このナット２４に調節具２０としての押出しネジが螺合してある。
【００３５】
調節具２５は、所謂「イモネジ」を用いて構成されており、上部の工具穴（六角レンチ用の六角穴）に工具を差し込んで回すことでナット２４に対して進退する。よって、調節具２５を前進させると、調節具２５の先端によって押付部材２０が収容部１３から押出される。これにより、カポ本体１０に対する進退量を調節することができる。
【００３６】
なお、調節具２５を後退させた場合には、これにより押付部材２０が直接後退させられることはないのであるが、ギターのネック１へのカポタスト１００の装着により押付部材２０が弦３に当接することから、押付部材２０が調節具２５の先端にて規制されるまで後退する。ここで、本例のカポタスト１００においては、押付部材２０がコ字状のものであることから、上片２０ａとカポ本体１０との間に圧縮スプリングを介装して、圧縮スプリングの付勢力でもって、調節具２５の後退に応じて押付部材２０が後退するようにしてもよい。
【００３７】
図４及び図５に、押付部材２０及び調節具２５の別例を示す。
【００３８】
押付部材２０は、コ字状に形成されており、上片２０ａがカポ本体に凹設された収容部に収容され、下片２０ｂがカポ本体１０の下方に露呈されており、全体がカポ本体１０に進退自在に組み付けられている。
【００３９】
なお、コ字状の押付部材２０をカポ本体１０に組み付けるにあたっては、カバー１４のない状態でカポ本体１０に押付部材２０を装着し、その後、カポ本体１０から押付部材２０が外れることがないように、カバー１４をカポ本体１０に取付ければよい。
【００４０】
また、押付部材２０の下面、すなわち下片２０ｂの下面には、上述の例と同様に緩衝材２１が固着されている。
【００４１】
一方、本例では、押付部材２０の進退量を調節する調節具２５として、２本の押出しネジを採用している。具体的には、カポ本体１０における押付部材２０の上片２０ａの下方に対応する部位に二つのナット２４が幅方向に並設状に埋設されており、これら各ナット２４に調節具２０としての押出しネジが螺合してある。
【００４２】
調節具２０は、上述の例と同様にイモネジを用いて構成されており、上部の工具穴に工具を差し込んで回すことでナット２４に対して進退するのであるが、押付部材２０の上片２０ａには、工具挿通孔２６が穿設されており、この工具挿通孔２６を通じて、工具によって調節具２５を操作することができる。
【００４３】
なお、ナット２４に対して調節具２５を前進または後退させることで、カポ本体１０に対する押付部材２０の進退量を調節することができることは、上述の例と同様であるが、本例では、加えて、幅方向に並設された２本の調節具２５の進退量を異ならせることで、押付部材２０を幅方向に傾けることができる。そして、押付部材２０を傾けることで、押付部材２０の下面をＲ形状の指板２により良好に倣わせることができ、Ｒ形状に倣った押付部材２０の下面によって、弦３を指板２に、より一層、良好に押え付けることができる。
【００４４】
以上詳細に説明したカポタストは、指板がフラット形状のギターであっても、指板がＲ形状のギターであっても、的確にフィットさせることができ、特に、ネックの幅寸法の差異やギターメーカーの設定の差異等によって指板のＲ形状の湾曲度合いが異なる種々のギターに対しても、的確にフィットさせることができるのであるが、加えて、次のような効果も奏する。
【００４５】
太さが異なる複数の弦を有するギター等の弦楽器に対して、従来のカポタストでは、細い弦に押え不足が生じ易いのであるが、細い弦に対応する押付部材を前進させることで、細い弦も十分な力で押えることができる。
【００４６】
また、上述の例の如く、カポ本体の一端に設けられた締付部材によってネックに片持ち状で装着されるカポタストでは、カポ本体の片持ち状の基端側では弦を十分に押えることができたとしても、先端側では弦を十分な力で押えることができない傾向にあるが、カポ本体の先端側の押付部材を基端側のものよりも前進させることで、先端側の弦も十分な力で押えることができる。
【００４７】
さらに、従来のカポタストでは、使用により弦を押える部分（緩衝材）に凹みを生じ、ネックにいくら締付けても弦を十分に押えることができなくなり、短期間の使用で破棄しなければならなくなるといった問題を生じるのであるが、上述の例のカポタストでは、緩衝材に凹みを生じても、押付部材を前進させれば弦の押付力を増加させることができるので、長期間の使用に耐え得るカポタストを実現することができる。
【００４８】
ところで、本発明に係るカポタストは、上述した例に限らず、本発明の要旨を逸脱しない範囲で、適宜の変更が可能である。
【００４９】
例えば、カポ本体の一端に設けられた締付部材によってネックに片持ち状で装着されるカポタストに限らず、ゴムバンドによってカポ本体を弦楽器のネックに装着するタイプのカポタストや、半円状の締付部材の一端側にカポ本体がネックの長さ方向に旋回自在に支持されており、弦楽器のネックに装着する際には、締付部材の他端側にカポ本体が掛け止められるタイプのカポタスト等、種々のカポタストに本発明を適用することができる。すなわち、カポタストがどのようなタイプのものであっても、弦楽器のネックの幅方向に架渡されるカポ本体に、本発明の如き押付部材及び調節具を設ければよいのである。
【００５０】
また、押付部材を、調節具によって前進させることができるだけでなく、所望の弦に対応する押付部材について、調節具自体の操作によって、或いは、スプリング等の付勢力によって、カポタストを装着した状態で弦から離間する位置まで後退させることができるようにしてもよい。このようにすることで、カポタストを装着しても、押付部材が接触していない弦については開放弦となることから、一部の弦のチューニングを他の弦と故意に狂わせて演奏する特殊な奏法に用いることができるカポタストとすることができる。
【符号の説明】
【００５１】
１  ネック
２  指板
３  弦
１０  カポ本体
１１  締付部材
１２  締付けネジ
１３  収容部
１４  カバー
１５  固定押付部
２０  押付部材（押え駒）
２０ａ  上片
２０ｂ  下片
２１  緩衝材
２２  溝
２３  ピン
２４  ナット
２５  調節具（押出しネジ）
２６  工具挿通孔
１００  カポタスト
【図１】
2010204400.tif 000003
【図２】
2010204400.tif 000004
【図３】
2010204400.tif 000005
【図４】
2010204400.tif 000006
【図５】
2010204400.tif 000007